【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
個人所持品を着用者が確実に保持するためのクラスプであって、
第一の部材と、
第一の枢動点で前記第一の部材に連結する第二の部材と、
第二の枢動点で前記第一の部材に連結する第三の部材と、
第三の枢動点で前記第二の部材に連結し、第四の枢動点で前記第三の部材に連結する第四の部材とを有し、
前記第三および第四の部材の各々は、前記第四の枢動点を越えて延長する延長部分をそれぞれ有しており、
前記第三および第四の部材の前記延長部分は、前記個人所持品の少なくとも一部を確実に保持および係合解除するため、デフォルト位置である閉鎖位置と開放位置との間で相互に移動自在であり、
前記第一および第二の部材は内部ばねを有するものである、
クラスプ。
【請求項２】
請求項１記載のクラスプにおいて、前記第三および第四の部材の前記延長部分は、デフォルト位置である閉鎖位置にあるときループを形成して前記個人所持品を確実に保持するように構成されるものである、クラスプ。
【請求項３】
請求項２記載のクラスプにおいて、前記ループは略楕円形または略四辺形である、クラスプ。
【請求項４】
請求項２記載のクラスプにおいて、前記第三および第四の部材の前記延長部分は、前記閉鎖位置にあるとき部分的に相互に重なり合っているものである、クラスプ。
【請求項５】
請求項１記載のクラスプにおいて、前記第一および第二の部材並びに前記第三および第四の部材の一部は、四辺形のリンク機構を形成するように配置されるものである、クラスプ。
【請求項６】
請求項５記載のクラスプにおいて、前記第三および第四の部材の前記延長部分は、前記第二および第三の枢動点に概ね対応する前記リンク機構の領域に加えられる内側方向の力に応答して、前記デフォルト位置である閉鎖位置から前記開放位置へ移動するものである、クラスプ。
【請求項７】
請求項１記載のクラスプにおいて、前記クラスプは、前記第三および第四の部材の前記延長部分に対して反対側の端部において、ネックレスまたは鎖に取り付け可能である、クラスプ。
【請求項８】
請求項１記載のクラスプにおいて、さらに、前記第一の枢動点において前記クラスプに連結されたリング、フック、またはベイルを有するものである、クラスプ。
【請求項９】
請求項１記載のクラスプにおいて、さらに、前記第一の枢動点において前記クラスプに連結された、回転自在なベイルを有するものである、クラスプ。
【請求項１０】
請求項９記載のクラスプにおいて、前記ベイルは、ハウジングと、前記ハウジングの底部中心部分から延長するチューブシースと、前記チューブシースおよび前記ハウジング内部に配置された回転自在なピンとを有するものである、クラスプ。
【請求項１１】
請求項１０記載のクラスプにおいて、前記ベイルは、前記回転自在なピンを前記第一の枢動点に連結するリングを有するものである、クラスプ。
【請求項１２】
請求項１０記載のクラスプにおいて、前記ハウジングは前記ハウジングの内部底壁に１若しくはそれ以上の凹部を有し、前記回転自在なピンは、前記ハウジング内で回転自在であり、かつ前記凹部内外へ選択的に移動自在なフック形状の端部を含むものである、クラスプ。
【請求項１３】
請求項９記載のクラスプにおいて、前記ベイルは、円筒形のハウジングおよびその中に配置された回転自在なピンを有するものである、クラスプ。
【請求項１４】
請求項１３記載のクラスプにおいて、前記ベイルは、前記回転自在なピンを前記第一の枢動点に連結するリングを有するものである、クラスプ。
【請求項１５】
請求項１４載のクラスプにおいて、前記ハウジングの内部壁は凹部を含み、前記回転自在なピンは前記凹部に対応する突起部を有するものである、クラスプ。
【請求項１６】
請求項１記載のクラスプにおいて、前記第三および第四の部材の前記延長部分は、眼鏡、鍵、または指輪の少なくとも一部を確実に保持および係合解除するため、デフォルト位置である閉鎖位置と開放位置との間で相互に移動自在である、クラスプ。
【請求項１７】
個人所持品を着用者が確実に保持するためのクラスプであって、
一対の顎部であって、該顎部の枢動端部を中心として開放位置と閉鎖位置との間で移動自在であり、前記閉鎖位置にあるとき、眼鏡、鍵、または指輪からなる群から選択される前記個人所持品を確実に保持するサイズおよび形状になっているものである、前記顎部と、
前記顎部の前記枢動端部に連結するリンク機構であって、第一の方向に操作された際に前記顎部を前記開放位置へ移動させ、第二の方向に操作された際に前記顎部を前記閉鎖位置に移動させるように構成されている、前記リンク機構と
を有し、
前記顎部が前記開放位置にあるとき、前記リンク機構は前記顎部に対して横方向に圧縮されるものである、
クラスプ。
【請求項１８】
請求項１７記載のクラスプにおいて、前記顎部が前記閉鎖位置にあるとき、前記リンク機構は前記顎部に対して長軸方向に圧縮されるものである、クラスプ。
【請求項１９】
個人所持品を着用者が確実に保持するためのクラスプであって、
一対の顎部であって、該顎部の枢動端部を中心として開放位置と閉鎖位置との間で移動自在であり、前記閉鎖位置にあるとき、眼鏡、鍵、または指輪からなる群から選択される前記個人所持品を確実に保持するサイズおよび形状になっているものである、前記顎部と、
前記顎部の前記枢動端部に連結するリンク機構であって、第一の方向に操作された際に前記顎部を前記開放位置へ移動させ、第二の方向に操作された際に前記顎部を前記閉鎖位置に移動させるように構成されている、前記リンク機構と
を有し、
前記リンク機構は四辺形リンク機構を有し、前記顎部は少なくともその一部を形成するものである、
クラスプ。
【請求項２０】
個人所持品を着用者が確実に保持するためのクラスプであって、
第一の部材と、
第一の枢動点で前記第一の部材に連結する第二の部材と、
第二の枢動点で前記第一の部材に連結する第三の部材と、
第三の枢動点で前記第二の部材に連結し、第四の枢動点で前記第三の部材に連結する第四の部材とを有し、
前記第三および第四の部材の各々は、前記第四の枢動点を越えて延長する延長部分をそれぞれ有しており、
前記第三および第四の部材の前記延長部分は、前記個人所持品の少なくとも一部を確実に保持および係合解除するため、デフォルト位置である閉鎖位置と開放位置との間で相互に移動自在であり、
前記第三および第四の部材の前記延長部分は、前記第二および第三の枢動点に概ね対応する当該のクラスプの領域に加えられる内側方向の力に応答して、前記デフォルト位置である閉鎖位置から前記開放位置へ移動するものである、
クラスプ。
【手続補正２】
【補正対象書類名】明細書
【補正対象項目名】０００２
【補正方法】変更
【補正の内容】
【０００２】
眼鏡、鍵、指輪などの個人所持品を身に着けている個人は、その所持品を取り外したり、取り替えたりしたいと思う場合があるが、その場合、それを容易に入手したり取り替えたりする目的で、その所持品を近くに置いておくのが望ましい場合がある。例えば、眼鏡は特定の場合にだけ使用される読書用の眼鏡、サングラス、または安全眼鏡であり、後で容易にアクセスできるように、取り外して着用者の身近に一時的に置いておきたい場合もある。通常、多くの着用者が所持品をポケットや容器内に入れたり、シャツまたはセーターの開いた部分から吊るしたりしている場合が多い。斯かる方法は、通常、個人所持品を確実に保持する方法としては安全でも便利でもない。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第４，４４１，７４６号明細書
（特許文献２）  米国特許第３，９５６，８０４号明細書
（特許文献３）  米国特許第５，８９３，１９８号明細書
（特許文献４）  米国特許第２，４４２，６９８号明細書
（特許文献５）  米国特許出願公開第２００６／０２４８６８８号明細書
（特許文献６）  米国特許第１，９１８，４８６号明細書
（特許文献７）  米国特許第３，３５２，５８９号明細書
（特許文献８）  米国特許第１，３４０，３１３号明細書